(57)【要約】【課題】印刷機の静止時間をできるだけ短時間にすることのできるインストール方法を提供することである。【解決手段】・まず別のオペレーティングシステムソフトウエアを、すでに前記印刷機計算機上で実行されているオペレーティングシステムソフトウエアに加えて、前記印刷機の操業中に伝送するステップと、・前記別のオペレーティングシステムソフトウエアを、前記印刷機計算機に前記印刷機の操業中にインストールするステップと、・オペレーティングシステムソフトウエアのユーザデータを、前記印刷機の操業中に、前記別のオペレーティングシステムソフトウエアに引き渡すステップと、・前記印刷機計算機を遮断し、前記印刷機の再起動時に古いオペレーティングシステムソフトウエアをスタートするか、または新規にインストールされた別のオペレーティングシステムソフトウエアをスタートするか選択するステップと、を有する方法。【選択図】図１
2012248189.tif 000002
【特許請求の範囲】
【請求項１】
印刷機（１）を印刷機計算機（２）上で制御するためのオペレーティングシステムソフトウエアのインストール方法であって、
・まず、すでに前記印刷機計算機（２）上で実行されているオペレーティングシステムソフトウエア（１３）に加えて、別のオペレーティングシステムソフトウエア（１８）を前記印刷機（１）の操業中に伝送するステップと、
・前記別のオペレーティングシステムソフトウエア（１８）を、前記印刷機計算機（２）に前記印刷機（１）の操業中にインストールするステップと、
・オペレーティングシステムソフトウエア（１３）のユーザデータを、前記印刷機（１）の操業中に、前記別のオペレーティングシステムソフトウエア（１８）に引き渡すステップと、
・前記印刷機計算機（２）を遮断し、前記印刷機（１）の再起動時に古いオペレーティングシステムソフトウエア（１３）をスタートするか、または新規にインストールされた別のオペレーティングシステムソフトウエア（１８）をスタートするか選択するステップと、
を有する方法。
【請求項２】
前記別のオペレーティングシステムソフトウエア（１８）は、すでに実行中のオペレーティングシステムソフトウエア（１３）と同じ記憶媒体にインストールされる、ことを特徴とする請求項１に記載の方法。
【請求項３】
前記印刷機（１）の再起動の際に、３つの以上のオペレーティングシステムソフトウエアバージョン（１８）の選択手段を含む、ことを特徴とする請求項１または２に記載の方法。
【請求項４】
前記別のオペレーティングシステムソフトウエア（１８）は、遠隔保守コンピュータ（１７）からインターネット接続（１０）を介して前記印刷機計算機（２）に伝送される、ことを特徴とする請求項１から３までのいずれか１項に記載の方法。
【請求項５】
前記別のオペレーティングシステムソフトウエア（１８）のインストールの前に、前記印刷機計算機（２）および／または前記遠隔保守コンピュータ（１７）が、前記別のオペレーティングシステムソフトウエア（１８）が当該印刷機計算機（２）にインストールするのに適しているか否かを検査する、ことを特徴とする請求項１から４までのいずれか１項に記載の方法。
【請求項６】
前記印刷機（１）の操作者（８）に、前記別のオペレーティングシステムソフトウエア（１８）のインストールが指示装置（７）上に通知される、ことを特徴とする請求項１から５までのいずれか１項に記載の方法。
【請求項７】
前記印刷機計算機（２）が、前記別のオペレーティングシステムソフトウエア（１８）のうちから必要とするソフトウエアモジュールを印刷機計算機（２）のプロパティと印刷機（１）に依存して選択し、正しい順序でインストールする、ことを特徴とする請求項１から６までのいずれか１項に記載の方法。
【請求項８】
前記印刷機計算機（２）は、前記別のオペレーティングシステムソフトウエア（１８）のスタートが失敗した場合、古いオペレーティングシステムソフトウエア（１３）による再スタートを実行する、ことを特徴とする請求項１から７までのいずれか１項に記載の方法。
【請求項９】
前記印刷機（１）の操作者（８）は、前記指示装置（７）を介して所望のオペレーティングシステムソフトウエア（１８，１３）を選択することができ、選択されたオペレーティングシステムソフトウエア（１８，１３）が引き続き前記印刷機計算機（２）によってインストールされる、ことを特徴とする請求項１から８までのいずれか１項に記載の方法。
【請求項１０】
前記別のオペレーティングシステムソフトウエア（１８）は、少なくとも部分的に携帯データ担体（１９）に記憶されており、対応するインタフェースを介してローカルで前記印刷機計算機（２）にインストールされる、ことを特徴とする請求項１から９までのいずれか１項に記載の方法。
【発明の詳細な説明】
【技術分野】
【０００１】
本発明は、複数の方法ステップによる印刷機計算機上で印刷機を制御するためのオペレーティングシステムソフトウエアのインストール方法に関する。
【背景技術】
【０００２】
印刷機のような機械用の現在の制御コンピュータは、Ｗｉｎｄｏｗｓ（商標）、ＭａｃＯＳ（商標）またはＬｉｎｕｘ（商標）のように通常のＰＣのオペレーティングシステムと同様に最新のソフトウエアバージョンにより使用することのできるオペレーティングシステムを有する。オペレーティングシステムを更新し、機械のユーザに新たな手段を提供するためには最新のソフトウエアバージョンが必要である。ＰＣにおいては、トラブルなしで可能であるという点で大きな問題がない限り、ＰＣを停止し、新たなオペレーティングシステムをインストールし、ＰＣを再起動するオペレーティングシステムの交換が行われる。しかしこの手続にはある程度の時間が掛かり、このことは印刷機計算機では印刷機の静止状態を招く。しかし印刷機の静止状態は、経営者にとっては高いコストと結び付いている。なぜならこの時間の間は印刷機を使用することができないからである。したがって印刷機の経営者にとって、印刷機の制御コンピュータを停止し、オペレーティングシステムの交換またはアップデートの間は印刷機を使用することができないことは受け入れがたい。さらにオペレーティングシステムのアップデートまたは交換の際には、ソフトウエア交換が失敗し、制御コンピュータの元の信頼性のある状態を苦労して復元しなければならないというおそれ、場合によってはデータ損失のため復元できないおそれが常にある。したがってＰＣでのオペレーティングシステム更新から公知の手段は、更新するのがＰＣと同じオペレーティングシステムソフトウエアであったとしても、印刷機計算機のオペレーティングシステムの更新にはあまり適しない。
【０００３】
特許文献１から、計算機上に複数のオペレーティングシステムを異なるパーティションでインストールすることが公知である。計算機をスイッチオンすると、いわゆるブートマネージャによって所望のオペレーティングシステムを選択することができ、選択されたオペレーティングシステムに必要な正しいデータが使用されることを保証することができる。このシステムは、種々のオペレーティングシステムを平行して異なるパーティションで使用することを可能にするが、オペレーティングシステムの交換時に計算機を遮断し、オペレーティングシステム交換中には使用することができないという問題を解決するものではない。
【０００４】
遠隔保守のための確実な遠隔操作が特許文献２から公知である。特許文献３は、遠隔保守の目的で評価することのできる印刷機の動作状態を求めることを開示する。
【先行技術文献】
【特許文献】
【０００５】
【特許文献１】米国特許公開第２０１０／０１３１７４６号
【特許文献２】米国特許第７３２８３４７号
【特許文献３】米国特許第７２８７４７３号
【発明の概要】
【発明が解決しようとする課題】
【０００６】
したがって本発明の課題は、印刷機の静止時間をできるだけ短時間にすることのできる、印刷機計算機上でのオペレーティングシステムソフトウエアの交換または更新方法を提供することである。
【課題を解決するための手段】
【０００７】
この課題は、本発明により請求項１によって解決される。本発明の有利な実施形態は、従属請求項および図面から明らかである。オペレーティングシステムをインストールするための本発明の方法は、基本的に印刷機のすべての制御コンピュータに適するものであるが、通常のＰＣにも適する。印刷機計算機とも称される制御コンピュータは、通例、いわゆるＩＰＣ（工業用コンピュータ）であり、Ｗｉｎｄｏｗｓ（商標）またはＬｉｎｕｘ（商標）のような公知のオペレーティングシステムにより動作する。オペレーティングシステムソフトウエアの交換または更新時の印刷機計算機の静止状態時間を最小にするために、以下の方法ステップが行われる。まず、動作中の印刷機計算機と動作中の印刷機で別のオペレーティングシステムソフトウエアを、印刷機計算機上ですでに起動しているオペレーティングシステムソフトウエアに追加で伝送する。同じように、印刷機計算機と印刷機がまだ動作しているときに、別のオペレーティングシステムソフトウエアを印刷機計算機上にすでにインストールする。別のオペレーティングシステムソフトウエアをインストールした後、印刷機および印刷機計算機の動作中に、実行中のオペレーティングシステムソフトウエアのアプリケーションデータを別のオペレーティングシステムソフトウエアにコピーする。別のオペレーティングシステムソフトウエアを起動させるために初めて印刷機および印刷機計算機の動作を中断しなければならないが、これは、印刷機計算機を遮断し、印刷機の再起動の際に、操作者が古いオペレーティングシステムソフトウエアと新たにインストールされた別のオペレーティングシステムソフトウエアとを選択することにより行われる。このことの大きな利点は、印刷機計算機の静止状態と所属の印刷機の静止状態とが、印刷機計算機の新たなスタートに必要な時間にまで短縮されることである。しかし、新たなオペレーティングシステムソフトウエアを伝送し、インストールするために必要となる時間よりも何倍も短い。ここで別のオペレーティングシステムソフトウエアはすでに実行中のオペレーティングシステムソフトウエアの最新のバージョン、いわゆるソフトウエアアップデートとすることができるが、しかし同じソフトウエア制作者または別のソフトウエア制作者の新規のオペレーティングシステムであっても良い。したがって本発明の方法は、非常にフレキシブルに適用することができ、印刷機計算機上でのオペレーティングシステムソフトウエアのすべての変更に適する。
【０００８】
本発明の第１の構成では、別のオペレーティングシステムソフトウエアがすでに実行中のオペレーティングシステムソフトウエアがある記憶媒体と同じ記憶媒体にインストールされる。このことは、古いオペレーティングシステムと新しいオペレーティングシステムとが、印刷機計算機の１つの同じハードディスクにインストールできることを意味する。したがって互いに独立した２つのハードディスクまたは記憶媒体が存在している必要はない。１つの同じ記憶媒体には、オペレーティングシステムのために異なるパーティションが作成される。各オペレーティングシステムソフトウエアごとに伝送の際に適切なパーティションが作成される。すべてのパーティションは１つの同じハードディスク上に存在することができる。
【０００９】
さらに有利には、印刷機を再起動する際に３つ以上のオペレーティングシステムソフトウエアバージョンの選択手段を含む。このことの利点は、ちょうどインストールされた別のオペレーティングシステムソフトウエアと現在実行中のオペレーティングシステムソフトウエアとを選択できるばかりでなく、印刷機の操作者は印刷機計算機の記憶媒体上にある消去されなかったすべてのオペレーティングシステムバージョンを選択することができることであり、これにより、オペレーティングシステムソフトウエアの数および選択手段は印刷機計算機の記憶スペースの大きさだけによって制限される。
【００１０】
本発明の別の構成では、別のオペレーティングシステムソフトウエアが遠隔保守コンピュータからインターネット接続を介して印刷機計算機に伝送される。印刷機のバージョン数が異なるから、印刷機計算機上のオペレーティングシステムソフトウエアはそれぞれの印刷機に適合しなければならない。各印刷機計算機がその印刷機に適合した正しいソフトウエアバージョンを得るように、別のオペレーティングシステムの伝送は専門家によって実行すべきである。人員を現場に投入することを回避するために、オペレーティングシステムの別のバージョンは、印刷機の製造業者にある保守コンピュータからインターネットを介して印刷機計算機に伝送され、そこにインストールされる。この保守コンピュータは遠隔保守コンピュータとすることができ、通常は印刷機計算機での遠隔保守過程を実行するために使用される。このようにして保守要員は現場に必要なく、正しいソフトウエアバージョンが製造業者によりインターネットを介して印刷機計算機にインストールされる。もちろんその代わりに、適切なオペレーティングシステムソフトウエアをＵＳＢスティックのような携帯データ担体または書き込み可能ＤＶＤに記憶し、この携帯データ担体を印刷機の操作者に送付し、またはコストが掛かるが製造業者の保守要員が現場で印刷機にインストールすることもできる。この目的のために印刷機計算機は適切なインタフェースまたはドライブを有し、これを介してソフトウエアをＵＳＢスティックまたはＤＶＤから伝送することができる。
【００１１】
さらに有利には、別のオペレーティングシステムソフトウエアのインストールの前に、印刷機計算機および／または遠隔保守コンピュータは、この別のオペレーティングシステムソフトウエアが印刷機計算機にインストールするのに適しているか否かを検査する。この検査により、印刷機計算機に対して不適切なまたは不完全なオペレーティングシステムソフトウエアがインストールされることが回避される。このことは、不適切なオペレーティングシステムソフトウエアは誤機能を招き、とりわけ印刷機計算機のクラッシュを引き起こしかねないので重要である。このようなことが生じると、印刷機の運転開始が阻止され、または印刷機の操業中に不適切なオペレーティングシステムソフトウエアにより印刷機が損傷することさえ起こりかねない。ここで検査過程は、遠隔保守コンピュータ上でソフトウエアを印刷機計算機に送信する前に、または印刷機計算機自体で行うことができる。二重安全性を確立するために、検査過程を印刷機計算機と遠隔保守コンピュータの両方で実行することもできる。この検査の際には、コンピュータが印刷機計算機の要求を準備されたオペレーティングシステムソフトウエアと比較し、場合によっては印刷機計算機のプロパティを検出し、目下のコンフィギュレーションを確認するために印刷機計算機上で診断テストを実行する。このことは、印刷機ではしばしば行われることであるが、操業中に印刷機が新しいモジュールによって補充または変更された場合にとくに重要である。このような変更は製造業者にはしばしば既知ではなく、オペレーティングシステムソフトウエアの提供者で考慮されない。しかし印刷機計算機の検査の際に、このような変更が検出され、遠隔保守コンピュータに通知され、オペレーティングシステムソフトウエアはこれが印刷機計算機にインストールのために伝送される前にこの変更に適合される。
【００１２】
さらに印刷機の操作者には、別のオペレーティングシステムソフトウエアのインストールが指示装置上で通知される。印刷機の操業中に、操作者には目下のオペレーティングシステムソフトウエアがインストールのために準備されたことが通知される。そして操作者は、マウスのクリックによりインストールに同意するか、これを拒否するか、または後の時点にずらすことができる。
【００１３】
さらに印刷機計算機が、必要とする別のオペレーティングシステムソフトウエアのソフトウエアモジュールを印刷機計算機のプロパティと印刷機に依存して選択し、正しい順序でインストールすると有利である。この場合、必要な複数のソフトウエアモジュールが遠隔保守コンピュータにより印刷機計算機のために準備され、印刷機計算機は、印刷機および印刷機計算機のコンフィギュレーションに基づいて必要なソフトウエアモジュールを自分で選択し、これを正しい順序でインストールする。同じように印刷機計算機は、伝送にエラーがある場合、またはソフトウエアモジュールにエラーがある場合、インストール過程を完全にするために、これを遠隔保守コンピュータに要請することができる。本発明のとくに有利な構成では、別のオペレーティングシステムソフトウエアの起動に失敗した場合、印刷機計算機は古いオペレーティングシステムソフトウエアによる再起動を自動的に実行することができる。このようにしてどのような場合でも、別のオペレーティングシステムソフトウエアにエラーがあっても、別のオペレーティングシステムソフトウエアの起動に失敗しても、印刷機が運転準備状態に移行することが保証される。この場合操作者は、印刷機を運転準備状態に移すために、さらなる措置を講じる必要はない。
【００１４】
さらに印刷機の操作者は、指示装置を介して所望のオペレーティングシステムソフトウエアを選択することができ、選択されたオペレーティングシステムソフトウエアが引き続き印刷機計算機によってインストールされる。この場合、印刷機の操作者には、インストールの前に複数のバージョンまたは異なるオペレーティングシステムが選択のために提示され、操作者は自分に好ましいオペレーティングシステムまたはソフトウエアモジュールを選択し、これをインストールする。操作者が複数のバージョンまたはオペレーティングシステムソフトウエアの種類を選択し、複数のパーティションに複数の新しいオペレーティングシステムソフトウエアバージョンを同時にインストールすることも可能である。そうすれば操作者自身で、どのオペレーティングシステムソフトウエアバージョンをいくつ自分の印刷機計算機にインストールしたいか決定することができる。
【００１５】
本発明を以下、複数の図面に基づいて詳細に説明する。
【図面の簡単な説明】
【００１６】
【図１】別のオペレーティングシステムソフトウエアをインストールする際に関与するコンポーネントについての外観図である。
【図２】別のオペレーティングシステムソフトウエアをインストールする際の方法ステップの外観図である。
【図３ａ】別のオペレーティングシステムのインストールジョブの初期設定を示す図である。
【図３ｂ】別のオペレーティングシステムのインストールジョブの検査過程を示す図である。
【図３ｃ】インストールに必要なオペレーティングシステムソフトウエアの印刷機計算機への伝送過程を示す図である。
【図３ｄ】印刷機計算機上での別のオペレーティングシステムソフトウエアのアクティベート過程を示す図である。
【図３ｅ】印刷機計算機の再起動後の所望のオペレーティングシステムの選択過程を示す図である。
【発明を実施するための形態】
【００１７】
図１には、別のオペレーティングシステムソフトウエア１８のインストールに関与するコンポーネントについての外観が示されている。別のオペレーティングシステムソフトウエア１８は、製造業者のサービス従業員９により遠隔保守コンピュータ１７上に準備される。この遠隔保守コンピュータ１７は、インターネットサービスポータル１６を介してインターネットと接続されている。このようにしてサービス従業員９は自分の遠隔保守コンピュータ１７から別のオペレーティングシステムソフトウエア１８を、インターネットおよび適切なネットワーク接続１０を介して印刷機１の制御コンピュータ２に伝送することができる。制御コンピュータ２を備える印刷機１は、印刷機操作者８により現場で制御される。印刷機操作者８には、新しいオペレーティングシステムソフトウエア１８の準備がグラフィカルユーザインタフェース（ＧＵＩ）を介して画面上に表示される。次に操作者８は、ソフトウエア１８のインストールを確認または拒否することができる。操作者８がインストールを受け入れると、遠隔保守コンピュータから自動的にリモートインストールジョブ１４が作成され、別のオペレーティングシステムソフトウエア１８に必要なソフトウエアコンポーネントが、制御コンピュータ２および印刷機１の必要性に依存して、インターネットを介し制御コンピュータ２に送信される。その代わりに、別のオペレーティングシステムソフトウエア１８をＵＳＢスティックまたはＤＶＤのようなデータ担体１９に伝送し、これを操作者８に送付し、操作者８がＵＳＢスティック１９を制御コンピュータ２に接続するか、またはＤＶＤを装填し、インストール過程をスタートすることもできる。ここで制御コンピュータ２は多くの場合、工業用ＰＣであり、マイクロプロセッサ（ＣＰＵ）３、ワークメモリ４およびハードディスク１１を有している。さらに制御コンピュータ２はシステムＩＤ５を有し、このシステムＩＤ５は制御コンピュータ２の一義的識別を可能にする。さらにハードディスク１１上には装備リスト６がファイルされており、この装備リスト６は制御コンピュータ２および印刷機１の目下のコンフィギュレーションを含む。したがってインストールの際には、制御コンピュータ２と印刷機１の目下のコンフィギュレーションを常に考慮することができる。操作者８は制御コンピュータ２と、画面およびグラフィカルユーザインタフェース（ＧＵＩ）７を介して通信することができる。さらにハードディスクドライブ１１にはブートマネージャ１２があり、これにより制御コンピュータ２のシャットダウンまたは再起動時にオペレーティングシステムソフトウエア１３の種々の変形、種類、またはバージョンを選択することができる。各オペレーティングシステムに対してハードディスクドライブ１１上には固有のパーティションが存在し、したがって別のオペレーティングシステム１８をインストールする際にそれぞれ新規のパーティションが発生する。別のオペレーティングシステムソフトウエア１８のインストール過程全体は、制御計算機２および印刷機１の通常操業中に経過し、したがってインストール過程中に静止する必要はない。
【００１８】
図２から、別のオペレーティングシステムソフトウエア１８とこれまでのソフトウエア１３のパラレルインストールの主要ステップが明らかである。まずソフトウエアインストールジョブ１４が作成され、新規のオペレーティングシステム１８が制御計算機２に伝送される。続いて新規のオペレーティングシステムソフトウエア１８が、制御計算機２のハードディスクメモリ１１の新規のパーティションにインストールされる。制御計算機２のシャットダウンの際に、操作者はこれまでのオペレーティングシステムソフトウエア１３を再起動するか、新規のオペレーティングシステム１８を再起動するか選択することができる。操作者が新規のオペレーティングシステムソフトウエア１８を選択すると、制御計算機２の次の起動の際にこれが自動的に作動され、将来的な起動過程で標準的に使用される。その代わりに、所望のソフトウエアの選択と作動を、印刷機計算機２の新たなスタートの際に選択することもできる。
【００１９】
図３は、どのようにしてソフトウエアインストールジョブ１４が作成されるかを示す。印刷機１の製造業者または別のオペレーティングシステムソフトウエア１８の制作者に、サービス従業員９が遠隔保守コンピュータ１７で申し込む。次にサービス従業員９は、新規のオペレーティングシステムソフトウエア１８をインストールすべきすべての印刷機１を選択する。引き続きサービスポータル１６およびインターネット接続１０を介して、別のオペレーティングシステムソフトウエア１８のソフトウエアパケットを送付することができる。新規のオペレーティングシステムソフトウエア１８の配布の前にサービス従業員９は適切なオペレーティングシステムソフトウエア１８を遠隔保守コンピュータ１７で選択し、別のオペレーティングシステムソフトウエア１８がそれぞれの印刷機１および所属の制御計算機２に適しているか否かを検査した後、許可が与えられる。制御計算機２への伝送を保安することができるなら、インストールジョブ１４が作成され、通知され、続いて保安された経路で制御計算機２に送付される。インターネット接続が保安されていなければ、インストールジョブ１４がまず通知され、符合化され、そしてインターネットで制御計算機２には既知のインターネットアドレス（ＵＲＬ）の下に公開される。制御計算機２上のインストールサービスが、既知のインターネットアドレス（ＵＲＬ）の下でインストールジョブ１４を識別すると直ちに、このインストールジョブ１４が制御計算機２に伝送され、復号される。
【００２０】
インストールジョブ１４が制御計算機２に伝送されると直ちに、制御計算機２のインストールサービスは、署名が正しいか否かを検査する。署名が正しい場合だけ、図３ｂのさらなる伝送が開始される。このときまずインストールサービスは、インストールジョブ１４のＩＤが、制御計算機２のシステムＩＤ５と一致するか否かを検査する。一致する場合だけ、インストールが継続される。この場合、別のオペレーティングシステムソフトウエア１８のソフトウエアパケットが、インストールジョブ１４に指示されたソースからインターネットを介して制御計算機２にダウンロードされ、そこのハードディスクドライブ１１に記憶される。
【００２１】
新規のオペレーティングシステムソフトウエア１８のすべてのソフトウエアパケットが正しく伝送され、制御計算機２のハードディスクドライブ１１に恒久的に記憶された後、スタートパケットと称される対応のソフトウエアパケットがハードディスクドライブ１１の新規のパーティションに格納される。インストール中に、オペレーティングシステムソフトウエア１８のソフトウエアパケットのうちどれが本当に必要であるか検査される。この目的のために、制御計算機２は装備リスト６を提供されたソフトウエアパケットと比較する。このとき、ダウンロードされた装備リスト６に基づき必要とされるソフトウエアパケットだけがインストールされる。図３ｃに示すように、各別のオペレーティングシステムソフトウエア１８に対して対応するパーティションがハードディスクドライブ１１に区切られている。作成されたパーティションには、別のオペレーティングシステムソフトウエア１８の対応するソフトウエアパケットがコピーされる。ソフトウエアパケットのインストール後、目下実行されているオペレーティングシステム１３の現在アクセスされていないデータがコピーされる。目下使用されているデータは後の別のステップで追加される。
【００２２】
図３ｄには、古いオペレーティングシステムソフトウエア１３から新規のオペレーティングシステム１８への切替え過程が示されている。印刷機１と制御計算機２を遮断するために、操作者８はグラフィカルユーザインタフェース７でマウスを使用し、遮断命令を作動する対応のフィールドをクリックする。遮断過程中にグラフィカルユーザインタフェース７で操作者８は、異なるオペレーティングシステムソフトウエアバージョン１３，１８を選択することができる。このとき操作者８は、制御計算機２の次の起動時に、これまでのオペレーティングシステム１３ではなく新規のオペレーティングシステムソフトウエア１８を実行することを設定することができる。操作者８がこれまでのオペレーティングシステム１３を選択すると、制御計算機２はまったく普通にシャットダウンされ、制御計算機の電圧供給部が電源から分離される。しかし操作者８が新規のオペレーティングシステムソフトウエア１８を選択すると、まず、これまでのオペレーティングシステム１３によってアクセスされていたデータが新規のオペレーティングシステムソフトウエア１８の新規のパーティションに伝送される。続いて、新規のオペレーティングシステムソフトウエア１８のブートパーティションがブートマネージャ１２で対応してコンフィギュレートされ、これにより次の新たなスタート時にはこれまでのオペレーティングシステム１３ではなく新規のオペレーティングシステムソフトウエア１８がスタートされる。続いてここでも制御計算機２の電流供給部が遮断され、制御計算機２がシャットダウンされる。
【００２３】
図３ｅは、制御計算機２の新たなスタート過程を示す。まず制御計算機２への電圧供給が確立され、どのオペレーティングシステムソフトウエアが制御計算機２の前回の遮断の際に、次回の新たなスタートのために選択されたかを検査する。これまでのオペレーティングシステム１３が選択されていれば、制御計算機２はこのバージョンでスタートし、印刷機１はこれにより制御される。しかし遮断の前に新規のオペレーティングシステムソフトウエア１８が選択されていれば、ブートマネージャ１２がこの選択を識別し、オペレーティングシステムソフトウエア１８を初めてスタートすべきことを確定する。この場合、制御計算機２は新規のオペレーティングシステムソフトウエア１８によりスタートし、印刷機１もこの新規のオペレーティングシステムソフトウエア１８により制御される。しかし新規のオペレーティングシステム１８による新たなスタートの際に、クリティカルな動作状態に達し、そのため新規のオペレーティングシステム１８の機能が保証されない場合には、ブートマネージャ１２は古いオペレーティングシステムソフトウエア１３に切り替える。これにより、新たなスタートの際に新規のオペレーティングシステムソフトウエア１８に誤機能があれば、これまでの信頼性のあるオペレーティングシステムソフトウエアバージョン１３が自動的にスタートされる。
【００２４】
新規のオペレーティングシステム１８に引き継がれたユーザデータの下には、顧客ジョブ、印刷機設定、システム設定および他の設定がある。これらのデータは新規のオペレーティングシステム１８の新規のパーティションにも記憶され、したがって新規のオペレーティングシステム１８のデータの損傷は古いオペレーティングシステム１３のデータに何らの影響も及ぼさない。これにより、新規のオペレーティングシステム１８の機能にエラーがあり古いオペレーティングシステム１３に頼らなければならなくても、古いオペレーティングシステム１３が相変わらず申し分なく機能することが保証される。したがって各オペレーティングシステム１３，１８は、自分に割り当てられたデータだけにアクセスする。このようにして高い動作確実性が保証される。
【符号の説明】
【００２５】
１  印刷機
２  制御計算機
３  ＣＰＵ
４  ワークメモリ
５  システムＩＤ
６  装備リスト
７  グラフィカルユーザインタフェース
８  操作者
９  サービス従業員
１０  ネットワーク
１１  ハードディスクドライブ
１２  ブートマネージャ
１３  オペレーティングシステムソフトウエア
１４  リモートインストールジョブ
１５  ローカルのインストールジョブ
１６  サービスポータル
１７  保守コンピュータ
１８  別のオペレーティングシステムソフトウエア
１９  ＵＳＢスティック
【図１】
2012248189.tif 000003
【図２】
2012248189.tif 000004
【図３ａ】
2012248189.tif 000005
【図３ｂ】
2012248189.tif 000006
【図３ｃ】
2012248189.tif 000007
【図３ｄ】
2012248189.tif 000008
【図３ｅ】
2012248189.tif 000009